(57)【要約】      （修正有）【課題】使用部品の数を減少させて、複雑な配線上の懸念を回避するヘッドホン構造体を提供する。【解決手段】伝導性ヘッドストリップ１２、１３は第１と第２のイヤピース１０、１１の間に各々電気的に接続されて、各々外部が絶縁層で覆われている。信号入力ケーブル１４は、第１イヤピースに電気的に接続している第１端部１４１、および電気プラグ１５に電気的に接続している第２端部１４２を含む。それによって、ヘッドホン構造体は、時間のかかるケーブル埋め込みおよび配線を回避するように片側ケーブル・アウト・ヘッドホンであるだけでなく、ヘッドセットとして伝導性ヘッドストリップを代わりに直接使用することによりプラスチック・ヘッドバンドの使用も排除できる利点を有する。【選択図】図３
0003172393.tif 000002
【実用新案登録請求の範囲】
【請求項１】
第１イヤピースと、
第２イヤピースと、
一対の伝導性ヘッドストリップであって、各々は前記第１および前記第２のイヤピースの間に電気的に接続され、そして各々は外部が絶縁層で覆われるヘッドストリップと、
第１端部および第２端部を含む信号入力ケーブルであって、前者は前記第１イヤピースに電気的に接続している信号入力ケーブルと、
前記信号入力ケーブルの前記第２端部に電気的に接続している電気プラグと、
を備えるヘッドホン構造体。
【請求項２】
前記第１および前記第２のイヤピースが電気的に並列に接続している請求項１に記載のヘッドホン構造体。
【請求項３】
前記対になっている伝導性ヘッドストリップが複数の絶縁固定リブによって互いに接続している請求項１に記載のヘッドホン構造体。
【請求項４】
前記複数の絶縁固定リブが互いに平行に配置される請求項３に記載のヘッドホン構造体。
【請求項５】
前記伝導性ヘッドストリップが銅から作られる請求項１に記載のヘッドホン構造体。
【請求項６】
前記イヤピース各々がスピーカ・ユニットおよびイヤーマフから成り、そこにおいて前記イヤーマフは前記スピーカ・ユニットを包み、かつ保護し、そして前記対になっている伝導性ヘッドストリップが前記スピーカ・ユニットの間に各々電気的に接続され、そして前記入力ケーブルの前記第１端部が前記第１イヤピースの前記スピーカ・ユニットに電気的に接続している請求項１に記載のヘッドホン構造体。
【考案の詳細な説明】
【技術分野】
【０００１】
本考案は、ヘッドホン構造体、より詳細には一対の伝導性ヘッドストリップを有するヘッドホン構造体に関する。
【背景技術】
【０００２】
今日では、使用方法に関してヘッドホンと区別されるイヤホンおよびネックホンを除いて、市場で入手できる多くの種類のヘッドホンがあり、そこではヘッドホンはより望ましい固定性（ｆｉｘｉｔｙ）の利点を有する。
【考案の概要】
【考案が解決しようとする課題】
【０００３】
従来のヘッドホンの一種を例示している模式図である図１を参照すると、ヘッドホンは、２つのイヤピース８０、８１、プラスチック・ヘッドバンド８２、２つの信号入力ケーブル８３、８４、および電気プラグ８５を含む。２つのイヤピース８０、８１はプラスチック・ヘッドバンド８２によって物理的に連結される。２つの信号入力ケーブル８３、８４は２つのイヤピース８０、８１にそれぞれ対応する。すなわち、２つの信号入力ケーブル８３、８４はイヤピース８０、８１と電気プラグ８５の間に電気的に接続される。また、２つの信号入力ケーブル８３、８４は、それらの後部で束になることによって電気プラグ８５に電気的に接続される。この種の従来のヘッドホンは、ヘッドホンをつけるときに信号入力ケーブル８３、８４が障壁になって、ユーザにとって不都合であるように、それらが比較的多いとみなされる欠点を有する。
【０００４】
更に、別の種の従来のヘッドホンを例示している模式図である図２を参照すると、この種のヘッドホンは、２つのイヤピース９０、９１、プラスチック・ヘッドバンド９２、信号伝送ケーブル９３、信号入力ケーブル９４、および電気プラグ９５を含む。同様に、２つのイヤピース９０、９１は、プラスチック・ヘッドバンド９２によって互いに物理的に連結される。信号伝送ケーブル９３は２つのイヤピース９０、９１の間に電気的に接続されて、２つのイヤピース９０の１つと電気プラグ９５の間に電気的に接続される。従来の技術は、このイヤピース９０だけがプラスチック・ヘッドバンド９２の反対側に位置する信号伝送ケーブル９３に接続されて、ヘッドホン着用により便利になるという利点を有する。
【０００５】
もちろん、すべての信号伝送ケーブル９３および信号入力ケーブル８３、８４、９４が柔らかいコード構造に関連があることはよく知られている。換言すれば、２つの伝導ワイヤ（いわゆる「２心ワイヤ」）は柔らかいスリーブによって包まれる。図２に示すように、信号伝送ケーブル９３は、プラスチック・ヘッドバンド９２に埋め込まれることを必要とする。しかしながら、ケーブルの埋め込みは、時間がかかるだけでなくて、配線が美的外観を必要とするので設計上の困難も大きくする。さらに、従来技術のどの種であろうと、ヘッドホンの両種とも電気伝導およびプラスチック・ヘッドバンドのための２つの柔らかいコードを使用することを必要とする。
【課題を解決するための手段】
【０００６】
本考案の目的は、使用部品の数を減少させて、複雑な配線上の懸念を回避するヘッドホン構造体を提供することである。
【０００７】
目的を達成するために、本考案によるヘッドホン構造体は、第１イヤピース、第２イヤピース、一対の伝導性ヘッドストリップ、信号入力ケーブル、および電気プラグを含む。
伝導性ヘッドストリップは第１と第２のイヤピースの間に各々電気的に接続されて、各々外部が絶縁層で覆われている。
【０００８】
本考案によれば、信号入力ケーブルは第１端部および第２端部を含み、そこにおいて前者は第１イヤピースに電気的に接続しているのに対して、後者は電気プラグに接続している。
【０００９】
この種の構造設計で、上に与えられたように、本考案によるヘッドホン構造体が、従来の技術において必要であった時間のかかるケーブル埋め込みおよび配線を回避するように片側ケーブル・アウト・ヘッドホンであるだけでなく、従来の技術のようなプラスチック・ヘッドバンドの使用をなくして、その製造コストを下げることもできる利点を有するものと理解される。
【００１０】
更に、本考案では、第１および第２イヤピースは電気的に並列した接続にあるように設計されることができるが、もちろんそれに限定されない。イヤピースは各々がスピーカ・ユニットおよびイヤーマフから成り、そこにおいてイヤーマフはスピーカ・ユニットを包んで、保護する。２つの伝導性ヘッドストリップは２つのスピーカ・ユニットの間に各々電気的に接続される。信号入力ケーブルは、第１イヤピースのスピーカ・ユニットに電気的に接続しているその第１端部を有する。
【００１１】
また更に、本考案では、２つの伝導性ヘッドストリップは、好ましい位置固定効果が得られることが可能であるように、２つの伝導性ヘッドストリップの間に適当な間隔を維持するように、複数の絶縁固定リブによって互いに連結されることができる。絶縁固定リブは、例えば、平行に、または互いに交差して配置される。伝導性ヘッドストリップは金属材料、例えば銅から作ることができる。
【００１２】
本考案の他の目的、利点、および新しい特徴は、添付図面を参照しながら、以下の詳細な説明からより明らかになる。
【図面の簡単な説明】
【００１３】
【図１】一種の従来のヘッドホンを例示している模式図である。
【図２】別種の従来のヘッドホンを例示している模式図である。
【図３】本考案によるヘッドホン構造体を例示している斜視図である。
【図４】図３に示すような対の伝導性ヘッドストリップの一部を例示している斜視断面図である。
【考案を実施するための形態】
【００１４】
本考案によるヘッドホン構造体を例示している斜視図である図３、および図３に示すような対になっている伝導性ヘッドストリップの一部を例示している斜視断面図である図４を参照すると、ヘッドホン構造体は、第１イヤピース１０、第２イヤピース１１、一対の伝導性ヘッドストリップ１２、１３、信号入力ケーブル１４、および電気プラグ１５を含む。イヤピース１０、１１は、スピーカ・ユニット１０１、１１１およびイヤーマフ１０２、１１２から各々成り、そこにおいてイヤーマフ１０２、１１２は、スピーカ・ユニット１０１、１１１を包む。伝導性ヘッドストリップ１２、１３は、例えば金属材料、好ましくは銅から作られ、そしてイヤーマフ１０２、１１２はプラスチック材料である。
【００１５】
更に、本実施形態によれば、信号入力ケーブル１４は２心の柔らかいワイヤに関するものであり、そこにおいてその第１端部１４１は第１イヤピース１０のスピーカ・ユニット１０１に電気的に接続しているのに対して、その第２端部１４２は電気プラグ１５に接続している。外部からの音声信号は、電気プラグ１５および信号入力ケーブル１４を通じてスピーカ・ユニット１０１，１１１に伝達される。
【００１６】
本実施形態によれば、第１イヤピース１０は、ユーザの左耳で着用されることになっていて、第２イヤピース１１はユーザの右耳で着用されることになっている。もちろん、第１イヤピース１０は、代替として、ユーザの右耳で着用されるのに対して、第２イヤピース１１はユーザの左耳で着用されるように設計されることができる。
【００１７】
伝導性ヘッドストリップ１２はアーチ形状として形成され、そこにおいてその２つの端部は、それぞれ、第１イヤピース１０のイヤーマフ１０２および第２イヤピース１１のイヤーマフ１１２を通過して、２つのスピーカ・ユニット１０１、１１１に物理的に、そして電気的に接続している。同様に、他の伝導性ヘッドストリップ１３も、２つのスピーカ・ユニット１０１、１１１に物理的に、そして電気的に接続するその２つの端部を有する。この種の配置によって、２つのイヤピース１０、１１は電気的に並列に接続している。更に、各々が絶縁層１２１、１３１で形成されるように、２つの伝導性ヘッドストリップ１２、１３は外部が絶縁処理材で覆われている。
【００１８】
上記を考慮すると、本考案によるヘッドホン構造体が片側ケーブル・アウト・ヘッドホンを提供し、そこでは２つの伝導性ヘッドストリップ１２、１３は、２つのイヤピース１０、１１の間に信号を送るのに役立つだけでなく、ヘッドセットとしても機能するものと理解される。その結果、構成要素は従来の技術と比較して節約される。更に、従来の技術において必要とされた、美的外観のための時間のかかるケーブル組込みおよび配線は、本考案において不必要であるとわかる。従って、本考案には、製造コスト削減上の大きな優位性がある。
【００１９】
更に、図３および４に示すように、２つの伝導性ヘッドストリップ１２、１３は、例えば、平行に、非平行に、または互いに交差して配置される複数の絶縁固定リブ１６によって互いに連結できる。絶縁固定リブ１６は、形成および位置固定の機能を有するだけでなく、２つの伝導性ヘッドストリップ１２、１３が短絡するのを防止すのにも役立つ。
【００２０】
本考案がその好ましい実施形態に関して説明されたけれども、多くの他の可能な修正及び変更が以下に請求される本考案の範囲内においてなされることができることを理解すべきである。
【符号の説明】
【００２１】
１０    第１イヤピース
１１    第２イヤピース
１２    伝導性ヘッドストリップ
１３    伝導性ヘッドストリップ
１４    信号入力ケーブル
１５    電気プラグ
１６    絶縁固定リブ
８０    イヤピース
８１    イヤピース
８２    プラスチック・ヘッドバンド
８３    信号入力ケーブル
８４    信号入力ケーブル
８５    電気プラグ
９０    イヤピース
９１    イヤピース
９２    プラスチック・ヘッドバンド
９３    信号伝送ケーブル
９４    信号入力ケーブル
９５    電気プラグ
１０１    スピーカ・ユニット
１０２    イヤーマフ
１１１    スピーカ・ユニット
１１２    イヤーマフ
１２１    絶縁層
１３１    絶縁層
１４１    第１端部
１４２    第２端部
【図１】
0003172393.tif 000003
【図２】
0003172393.tif 000004
【図３】
0003172393.tif 000005
【図４】
0003172393.tif 000006